(57)【特許請求の範囲】
【請求項１】
圧縮機、凝縮器、蒸発器を備えた空気調和機において、室内空気温度を検出する室温検出手段と、輻射熱温度を検出する輻射熱温度検出手段と、所望の設定温度を入力する温度設定手段と、希望体感温度を入力する入力手段と、前記室温検出手段及び輻射熱温度検出手段から輻射熱温度を加味した体感温度を得る制御部と、空気調和機本体又はリモコンに設けられた表示部に室内空気温度から体感温度または設定温度から希望体感温度に切り換え表示させる切換手段とを備えたことを特徴とする空気調和機。
【請求項２】
前記制御部は前記室内空気温度及び輻射熱温度に基づいて空調制御を行うことを特徴とする請求項１記載の空気調和機。
【請求項３】
前記希望体感温度を１℃より細かくしたことを特徴とする請求項１記載の空気調和機。
【請求項４】
前記表示部の表示温度間隔を前記体感温度の間隔よりも大きくしたことを特徴とする請求項１記載の空気調和機。
【請求項５】
室内空気湿度を検出する湿度検出手段を備え、前記制御部は前記室温検出手段、輻射熱温度検出手段及び湿度検出手段から体感温度を得ることを特徴とする請求項１記載の空気調和機。
【請求項６】
前記体感温度と室内空気温度との何れが表示されているかを表示する切換表示手段を備えたことを特徴とする請求項１記載の空気調和機。
【請求項７】
圧縮機、凝縮器、蒸発器を備えた空気調和機において、室内空気温度を検出する室温検出手段と、所望の設定温度を入力する温度設定手段と、被空調空間に居る人間が感じる体感温度を検出する体感温度検出手段と、を備え、室内空気温度または設定温度を前記体感温度検出手段により検出した体感温度に応じて補正した設定温度または室内空気温度に近づけるように制御することを特徴とする空気調和機。
【請求項８】
前記空気調和機は圧縮機、四方弁、室外熱交換器、第1絞り機構、第1室内熱交換器、第２絞り機構、第２室内熱交換器を順次接続した冷凍サイクルと、前記室外熱交換器に空気流を発生させる室外ファンと、前記室内熱交換器に空気流を発生させる室内ファンとを備え、前記圧縮機の周波数または前記室内外ファンの回転速度または前記絞り機構の開度を制御することを特徴とする請求項７記載の空気調和機。
【請求項９】
前記体感温度検出手段は輻射センサを用い床面または壁面の輻射熱温度を検出することを特徴とする請求項７または請求項８記載の空気調和機。
【請求項１０】
前記輻射センサにより検出された輻射熱温度Ｔｒによる設定温度の補正量Ｔｏｔが室内空気温度ＴＨ１及び輻射センサ定数Ｃ１を用いて、Ｔｏｔ＝（Ｃ１＊（ＴＨ１−Ｔｒ））／２であることを特徴とする請求項９記載の空気調和機。
【発明の詳細な説明】
【０００１】
【発明の属する技術分野】
この発明は、輻射熱検出手段を用いて体感温度を得る空気調和機に関する。
【０００２】
【従来の技術】
室内の人間の快適性を左右する要因として室内空気温度、壁や床からの輻射熱、そして室内空気湿度がある。空気調和機の運転を制御する場合、室内空気温度と設定温度との差によって圧縮機の周波数や室内ファン及び室外ファンの回転速度を制御する方法では適度な湿度環境にならなかったり、人間が快適と感じる体感温度とは異なる温度となってしまい、快適空調が不十分になってしまう。
【０００３】
そこで、より快適な空調を行うために、室内空気温度と壁や床からの輻射熱温度とによって室内空気温度を補正して体感温度として算出し、この体感温度と設定温度との差を測定することによって空気調和負荷を算出し、この空調負荷に応じて圧縮機の運転等を制御している。ただし、この場合でも、設定温度とリモコンまたは空気調和機本体に表示されている温度値は、体感温度ではなく、室内空気温度やそれに基くもののことである。この結果、例えば室内温度の表示は既に設定温度になっているにも関わらず、体感的には快適でないため、設定温度を変更してしまい、かえって希望の体感温度から離れた設定温度に設定することがある。よって、常に同じ体感温度を得るために環境変化に応じて設定温度を感覚的に変更することになる。
【０００４】
【発明が解決しようとする課題】
これは同じ空気温度でも空調負荷が変われば体感温度は違ってくることを意味している。よって、表示温度が室内空気温度の場合、常に同じ体感温度を得ようとするには自らが感覚を便りに設定温度を変えなければならず、快適な空調環境を設定しにくいという課題があった。
【０００５】
この発明は上記のような課題を解決するためになされたものであり、体感温度を表示することで、快適な空調環境の設定がしやすい空気調和機を得ることを目的とする。
【０００６】
【課題を解決するための手段】
この発明に係る空気調和機は、圧縮機、凝縮器、蒸発器を備えた空気調和機において、室内空気温度を検出する室温検出手段と、輻射熱温度を検出する輻射熱温度検出手段と、所望の設定温度を入力する温度設定手段と、希望体感温度を入力する入力手段と、前記室温検出手段及び輻射熱温度検出手段から輻射熱温度を加味した体感温度を得る制御部と、空気調和機本体又はリモコンに設けられた表示部に室内空気温度から体感温度または設定温度から希望体感温度に切り換え表示させる切換手段とを備えたものである。
【０００８】
また、前記制御部は前記室内空気温度及び輻射熱温度に基づいて空調制御を行なうものである。
【００１０】
また、前記希望体感温度を１℃より細かくしたものである。
【００１１】
また、前記表示部の表示温度間隔を前記体感温度の間隔よりも大きくしたものである。
【００１２】
また、室内空気湿度を検出する湿度検出手段を備え、前記制御部は前記室温検出手段、輻射熱温度検出手段及び湿度検出手段から体感温度を得るものである。
【００１４】
また、前記体感温度と室内空気温度との何れが表示されているかを表示する切換表示手段を備えたものである。
【００１５】
また、圧縮機、凝縮器、蒸発器を備えた空気調和機において、室内空気温度を検出する室温検出手段と、所望の設定温度を入力する温度設定手段と、被空調空間に居る人間が感じる体感温度を検出する体感温度検出手段と、を備え、室内空気温度または設定温度を前記体感温度検出手段により検出した体感温度に応じて補正した設定温度または室内空気温度に近づけるように制御するものである。
また、前記空気調和機は圧縮機、四方弁、室外熱交換器、第1絞り機構、第1室内熱交換器、第２絞り機構、第２室内熱交換器を順次接続した冷凍サイクルと、前記室外熱交換器に空気流を発生させる室外ファンと、前記室内熱交換器に空気流を発生させる室内ファンとを備え、前記圧縮機の周波数または前記室内外ファンの回転速度または前記絞り機構の開度を制御するものである。
【００１６】
また、前記体感温度検出手段は輻射センサを用い床面または壁面の輻射熱温度を検出するものである。
また、前記輻射センサにより検出された輻射熱温度Ｔｒによる設定温度の補正量Ｔｏｔが室内空気温度ＴＨ１及び輻射センサ定数Ｃ１を用いて、Ｔｏｔ＝（Ｃ１＊（ＴＨ１−Ｔｒ））／２である。
【００１７】
【発明の実施の形態】
実施の形態１．
以下この発明の実施の形態を図について説明する。図１はこの発明の実施の形態における空気調和機を示す冷媒回路図である。図１において、１は圧縮機、２は圧縮機１の吐出側に設けられ、冷房、除湿運転時と暖房運転時とで冷凍サイクルの冷媒流れ方向を切換える四方弁、３は冷房、除湿運転時には凝縮器、暖房運転時には蒸発器となる室外熱交換器、４は例えば電気式膨張弁から成る第１絞り機構、５は第１室内熱交換器、７は第２室内熱交換器であり、この第１室内熱交換器５と第２室内熱交換器７の間には、第２絞り機構６が設けられており、これらは配管によって順次接続され、冷凍サイクルを構成している。本実施の形態では第２絞り機構６は電子式膨張弁を用い、開閉する弁体には閉時にも冷媒が通過可能な多孔質透過材が用いられている。
【００１８】
８は室外熱交換器３へ室外空気を通過させるための空気流を発生させる室外ファンで、ここではプロペラファンである。９は第１室内熱交換器５及び第２室内熱交換器７へ室内空気を通過させるための空気流を発生させる室内ファンで、ここではクロスフローファンである。また、圧縮機１、四方弁２、室外熱交換器３および第１流量制御弁４で室外機１１を構成し、第１室内熱交換器５、第２室内熱交換器７および第２流量制御弁６で室内機１０を構成している。この冷凍サイクルの冷媒には、Ｒ３２とＲ１２５の混合冷媒であるＲ４１０Ａが用いられ、冷凍機油には冷媒との相溶性が低い（弱相溶油と呼ばれる）アルキルベンゼン系油が用いられている。勿論従来のＲ２２冷媒や例えばＲ４０７Ｃのような他のＨＦＣ冷媒でもよく、冷凍機油もエステル油等の相溶油であってもよい。
【００１９】
図２は室内機１０の外観を示す斜視図である。図１、２において、１０ａは室内機１０内の第１室内熱交換器５および第２室内熱交換器７へ室内空気を取り込む吸込口、１０ｂは第１室内熱交換器５および第２室内熱交換器７にて熱交換された調和空気を室内へと吐出する吹出口、１０ｃは吹出口１０ｂ付近に設けられ、室内への吐出空気を上下方向へ制御する風向ベーンである。尚図示しないが風向ベーン１０ｃの上流側には室内への吐出空気を左右方向へ制御する左右風向ベーンも設けられている。１２は室内機１０に設けられた温度表示部で、本実施の形態では１℃刻みの温度毎にＬＥＤが設けられ、冷房、除湿運転時にはＬＥＤ上方の数値が温度として対応し、暖房運転時にはＬＥＤ下方の数値が温度として対応している。
【００２０】
１３は室内機１０に設けられた体感モニタで、本実施の形態ではＬＥＤが設けられ、温度表示部１２が室内温度を表示している場合は消灯し、体感温度を表示している場合には点灯する。即ち、体感温度表示または室内空気温度表示の何れに切り換わったかを示す切換手段である。この切換手段は体感モニタとして別途設けずに温度表示部１２のＬＥＤの色を変えるものであっても良い。このような切換手段を設けることで、体感温度、室内空気温度それぞれの温度表示部を設ける必要がなくなり、電気部品を減らせる分リサイクル時の解体性が向上する。１４は後述するリモコンからの信号を受信するリモコン信号受光部、１５は床面または壁面の輻射熱温度を検出するための輻射センサ（輻射熱温度検出手段）で、本実施の形態では室内機１０下方の床面温度を６０°の範囲で計測している。１７は室内空気温度を検出する室温センサ（室温検出手段）、１８は室内空気湿度を検出する湿度センサ（湿度検出手段）である。
【００２１】
２０は室内機１０に設けられ、リモコン信号受光部１４にてリモコンからの信号を受信し、使用者の所望の環境を設定するとともに、輻射センサ１５、室温センサ１７、湿度センサ１８からの検出結果を入力し、第２絞り機構６の開度（開閉を含む）や室内ファン９のファン回転速度を制御する室内制御部で、さらに室内機１０の温度表示部１２や体感モニタ１３への表示内容を決定し、表示するよう制御している。２１は室外機１１に設けられ、室内制御部１０と相互に通信して、上記室内制御部２０の情報から圧縮機１の周波数や四方弁２の切り換え、室外ファン８の回転速度、第１絞り機構の開度（開閉を含む）を制御する室外機制御部である。
【００２２】
図３は入力手段であるリモコンを示す正面図である。図３において、１６は室内機１０のリモコン信号受光部１４を介して室内制御部２０へ運転モードや設定温度等使用者の所望の設定条件を入力するためのリモコン、１６ａはリモコン１６に設けられ、所望の設定湿度を入力するための湿度設定ボタン、１６ｂはリモコン１６に設けられ、所望の設定温度を入力するための温度設定ボタン、１６ｃはリモコン１６から入力可能な設定内容のうち、選択された設定内容を表示する表示窓、１６ｄは表示窓１６ｃ内に区画形成された温度表示部で、０．５℃刻みで表示可能である。
【００２３】
温度設定ボタン１６ｂにて温度を下げる方向に入力すると、温度表示部１６ｄの表示内容は図４のように０．５℃刻みで変化する。
また、１６ｅは省エネ運転ボタンやタイマー設定ボタン等、使用頻度が比較的少ないボタンを覆う開閉式の蓋で、開時には上記ボタンが露出し、閉時には蓋により隠蔽される。また、図示しないが蓋１６ｅを閉じた状態では蓋１６ｅ表面に体感温度表示切換ボタンが露出し、この体感温度表示切換ボタンの操作によって室内機本体１０の温度表示部１２の表示内容を室内空気温度または体感温度に切り換えることができる。
【００２４】
次に冷凍サイクルの動作について説明する。除湿及び冷房運転時では、圧縮機１を出た冷媒は四方弁２を通り、室外ファン８が付設された室外熱交換器３、第１絞り機構４を通過し、第１室内熱交換器５、第２絞り機構６、第２室内熱交換器７、四方弁２を通って圧縮機１に戻る。暖房運転時は四方弁２が切り替わり、冷媒の流れ方向が逆となる。
【００２５】
次に冷房、除湿運転時の動作についてさらに詳細に説明する。図１では冷房、除湿運転時の冷媒の流れを実線矢印で示している。冷房運転は、起動時や夏季時など部屋の空調顕熱負荷と潜熱負荷がともに大きい場合に対応する通常冷房運転と、中間期や梅雨時期のように空調潜熱負荷は小さいが、顕熱負荷が大きな場合に対応する除湿運転に分けられる。通常冷房運転は、第２絞り機構６の図示しない電磁コイルを非通電状態とする。このとき圧縮機１を出た高温高圧の冷媒蒸気は、四方弁２を通って室外熱交換器３に流入し、外気と熱交換して凝縮、液化する。この高圧の液冷媒は、第１絞り機構４で低圧に減圧され、気液二相冷媒となって第１室内熱交換器５および第２室内熱交換器７で室内空気の顕熱および潜熱を奪って蒸発する。第２絞り機構６では、第１室内熱交換器５側と第２室内熱交換器７側とが大きな開口面積で接続されているので、この弁を通過する際の冷媒圧力損失はほとんどなく、圧力損失による冷房能力や効率面での低下もない。第２室内熱交換器７を出た低圧の蒸気冷媒は、四方弁２を通って再び圧縮機１に戻る。この通常冷房運転時の第１絞り機構４の開度は、例えば第２室内熱交換器の出口冷媒の過熱度が５℃となるように制御されている。
【００２６】
次に除湿運転時の動作について説明する。この除湿運転時は、第２絞り機構６の電磁コイルに通電し、主弁体を主弁座に密着させ、主弁体の通気孔を介して第１室内熱交換器５の出口と第２室内熱交換器７の入口を接続する。この時、圧縮機１を出た高温高圧の冷媒蒸気（Ａ点）は、四方弁２を通って室外熱交換器３に流入し、外気と熱交換して凝縮する（Ｂ点）。この高圧の液冷媒あるいは気液二相冷媒は、第１絞り機構４で若干減圧され（Ｃ点）、中間圧の気液二相冷媒となって第１室内熱交換器５に流入する。この第１室内熱交換器５に流入した冷媒は、室内空気と熱交換してさらに凝縮する（Ｄ点）。第１室内熱交換器５を出た中間圧の液冷媒あるいは気液二相冷媒は、第２絞り機構６に流入する。
【００２７】
第２絞り機構６では、主弁体が主弁座に密着しているため、この弁に流入した冷媒は、多孔質透過材で構成されている主弁体内の通気孔を通って第２室内熱交換器７に流入する。この主弁体の通気孔は１０マイクロメートル程度であり、この通気孔を通る冷媒は減圧されて、低圧の気液二相冷媒となって、第２室内熱交換器７に流入する（Ｅ点）。この第２室内熱交換器７に流入した冷媒は、室内空気の顕熱および潜熱を奪って蒸発する。第２室内熱交換器７を出た低圧の蒸気冷媒は、四方弁２を通って再び圧縮機１に戻る。室内空気は、第１室内熱交換器５で加熱され、第２室内熱交換器７で冷却除湿されるため、部屋の室温低下を防ぎながら除湿を行うことができる。
【００２８】
なお、この除湿運転では、圧縮機１の回転周波数や室外熱交換器３のファン回転数を調整して、室外熱交換器３の熱交換量を制御し、第１室内熱交換器５による室内空気の加熱量を制御して吹出し温度を広範囲に制御できる。また第１流量制御弁７の開度や室内ファン回転数を調整して、第１室内熱交換器５の凝縮温度を制御し、第１室内熱交換器５による室内空気の加熱量を制御することもできる。また第２絞り機構６の開度は、例えば第２室内熱交換器７の出口冷媒の過熱度が５℃となるように制御されている。
【００２９】
また、通常の冷房運転や暖房運転では第２絞り機構６を全開にしておき、圧縮機１の周波数や第１絞り機構４、室外ファン８、室内ファン９を制御して冷暖房能力を変化させ、被空調室（被空調空間）の温度を調整する。
いずれの空調運転の場合も、空調制御については、室温センサ１７、湿度センサ１８及び輻射センサ１５からの検出結果を用いる。特に温度情報については室温センサ１７で検出した室内空気温度と輻射センサ１５で検出した輻射熱温度との間に開きがある場合、設定温度の値を輻射熱温度に応じて補正し、その補正された値を新たな設定温度としてこの値に近づけるよう室内制御部２０及び室外制御部が圧縮機周波数やファン回転速度、絞り開度等を制御する。
【００３０】
輻射熱温度を取り込んだ設定温度の補正について図５を用いて説明する。図５において、Ｔfは輻射センサ１５にて検出された輻射熱温度、ＴＨ１は室温センサ１７で検出された室内空気温度、Ｔsetはリモコンから入力設定された設定温度ＴsetRを輻射熱温度で補正した結果の設定温度である。
輻射熱温度は床面や壁面の温度であり、床や壁は夏場等の暑い時期は空調前の高温環境で暖められていて冷房、除湿運転によって室内空気温度が下がる速度に比べて下がり方が緩やかである。逆に冬場等の寒い時期は空調前の低温環境で冷やされており暖房運転によって室内空気温度が上がる速度に比べて上がり方が緩やかである。
【００３１】
そのため、室内に居る人間が感じる体感温度としては室内空気温度と輻射熱温度との影響を受け、冷房、除湿時には室内空気温度が下がっている程には涼しさを感じず、暖房時には室内空気温度が上がっている程には暖かさを感じない。そのため、体感温度をリモコン１６から入力された設定温度に近づけるためには、上述した体感温度の沿った設定温度の補正が必要になる。
輻射による設定温度の補正量Ｔotは下記式（１）によって求められる。
Ｔot＝｛Ｃ１＊（ＴＨ１−Ｔf）｝／２                  式（１）
ここでＣ１は輻射センサ定数である。
【００３２】
また、ＴＨ１−Ｔfはアナログ値ではなく、室温センサ１７、輻射センサ１５からの検出値が室内制御部２０へデジタルに取り込まれるためデジタル値（本実施の形態では１／３℃刻み）となっている。
この結果、補正された設定温度Ｔsetも入力設定された設定温度ＴsetRに対してデジタル幅で補正される。
図５では、最初ＴＨ１−Ｔfがデジタル値ではゼロと判断されており、補正量Ｔotもゼロである。この結果、Ｔset＝ＴsetRのまま変わらない。その後、ＴＨ１−Ｔfがデジタル値で検出されたため、Ｔset＝ＴsetR−０．３３に補正される。この結果、室内空気温度と設定温度との差は０．３３℃さらに開くことになり、室内制御部２０及び室外制御部２１はこの温度差に応じた圧縮機周波数、室内外ファン回転速度、第１、第２絞り機構開度の制御を行なう。また、室内制御部２０は風向ベーン１０ｃを制御し、吹出し風を床面や壁面に向かって吹出し、輻射熱温度を室内空気温度に近づけるよう制御する。
【００３３】
輻射温度に応じて設定温度の補正を行なったにもかかわらず、補正後さらに所定時間Ｄf1が経過してＴＨ１−Ｔfが変化しない場合、室内制御部２０は輻射熱温度を加味した体感温度での空調環境が改善されれていないと判断し、さらにＴset＝ＴsetR−０．６７に補正する。この結果、室内空気温度と設定温度との差は０．６７℃さらに開くことになり、室内制御部２０及び室外制御部２１はこの温度差に応じた圧縮機周波数、室内外ファン回転速度、第１、第２絞り機構開度の制御を行なう。このようにして、図５ではＴset＝ＴsetR−１．００にまで補正されていく。その後、風向ベーン１０ｃを通常の風向に戻す。
【００３４】
上記のような設定温度の補正により、制御上の室内空気温度との温度差が拡大するので、冷房能力が増大する。そして、床面等の温度が室内空気温度に近づいてくると、再びＴＨ１−Ｔfのデジタル値がゼロとなる。これを受けて室内制御部２０は設定温度をＴset＝ＴsetR−０．６７に変更する。そして、所定時間Ｄf2経過後もＴＨ１−Ｔfのデジタル値がゼロであれば、室内空気温度と輻射熱温度との温度差が拡大していないと判断し、Ｔset＝ＴsetR−０．３３に変更する。ここで、再びＴＨ１−Ｔfのデジタル値が広がる方向に検出されれば、再びＴset＝ＴsetR−０．６７に変更する。図５ではさらに所定時間Ｄf2経過後もＴＨ１−Ｔfのデジタル値がゼロのままなので、Ｔset＝ＴsetRとなる。
このようにして、輻射熱温度を含めた体感温度が設定温度へと導かれる。
【００３５】
図６は暖房運転時における本実施の形態の空気調和機と従来の空気調和機との体感温度の変化を比較した対比図である。暖房運転を開始すると壁面や床面よりも早く室内空気温度が暖まる。そこで、上記のような制御を行ない、暖房能力を高く維持して風向ベーン１０ｃを床面に向け、通常よりも床面を重点的に暖める。この結果、輻射センサ１５から検出される輻射熱温度と室内空気温度との差を小さくし、体感温度を素早く設定温度に近づけることができる。そして、床面を暖めるたに室内空気温度が過度に設定温度より高い状態になる時間を短くできる。このようにして従来に比べて電気代を２０％節約することができる。
【００３６】
制御上は上記のように輻射熱温度を考慮した体感温度による制御は可能であるが、それだけでは室内にいる人間は現在の体感温度や制御温度を知ることができない。この発明の実施の形態１．に於ける空気調和機は、希望体感温度でリモコンから設定温度を設定入力可能にし、空気調和機の室内機１０本体に備えたＬＥＤの温度表示部１２を用いて温度を表示させる場合、希望体感温度は点灯、現在の体感温度は点滅させることとした。また、リモコン１６の温度表示部１６ｄにも希望体感温度を表示可能にした。
【００３７】
次に希望体感温度の入力設定や表示、体感温度の表示について説明する。室温センサ１７によって検出された室内空気温度と輻射センサ１５によって検出された輻射熱温度とから室内に居る人間の体感温度を求めることができる。ここで、温度補正方法として、室内空気温度、気流、輻射熱温度の３因子を１つの単位で表す標準作用温度の算出方法を採用した。例えば算出方法は下記の式（２）の通りである。
体感温度＝（室内空気温度＋輻射熱温度）／２          式（２）
【００３８】
リモコン１６に設けられた体感温度表示切換ボタンを押すと、リモコン１６の温度表示部１６ｄの表示内容は通常の設定温度から希望体感温度へと切り換わる。即ち、通常表示される設定温度２６．５℃に対し、希望体感温度として２６．５℃が表示される。体感温度表示切換ボタンをもう一度押すと通常の設定温度表示に切り換わる。設定温度、希望体感温度共に温度表示なので、それだけではどちらか表示されているかわからない。そこで、図３に示すように希望体感温度を表示しているときは温度の上に「体感温度」と表示される。通常の設定温度のときは「温度」と表示される。
【００３９】
リモコン１６から体感温度表示切換ボタンを押すと、室内機１０の体感センサ１３が点灯し、同時に温度表示部１２の表示内容が現在の室内空気温度と設定温度とから、現在の体感温度と希望体感温度とに切り換わる。いずれの場合も室内空気温度及び現在の体感温度はＬＥＤの点滅で、設定温度と希望体感温度はＬＥＤの点灯で表示される。希望体感温度は、上述したリモコン１６から入力設定され、リモコンに表示された温度である。体感温度表示切換ボタンをもう一度押すと体感センサ１３が消灯し、温度表示部１２には現在の室内空気温度と設定温度とが表示される。
【００４０】
ここで、上述した制御動作としては、輻射熱温度に応じて設定温度を補正するものであり、設定温度が変化していくことになるが、表示部へ表示される希望体感温度は変化せず、ＴsetRの値が表示される。そして、制御上例えばＴset＝ＴsetR−１．００となると、室内空気温度と設定温度との差は１℃広がったことになるが、表示部に表示される内容は制御とは別に式（２）で計算された体感温度とＴsetRなので、センシング間隔やＤf1、Ｄf2の短い間隔で表示内容がめまぐるしく変わることがない。また、温度表示部１２は実際の制御におけるデジタル値である１／３℃刻みより大きな幅の１℃刻みで表示し、ｔ±０．３３℃をｔ℃として表示するから、この点でも表示内容がめまぐるしく変わることを防止している。
なお、体感温度が希望体感温度と一致したときは表示部１２の該当温度のＬＥＤ一つが点灯する。
【００４１】
このような構成及び制御により、使用者はより自分の感覚に近い希望体感温度で設定温度が設定できるようになり、表示部を見ながら現在の体感温度と希望体感温度との開きを知ることができるようになる。
尚、本実施の形態では希望体感温度の設定を１℃より細かい０．５℃刻みにしている。これは従来一般的な空気調和機における温度設定の間隔１℃よりも細かい。体感温度は室内空気温度を補正するものであり、室内空気温度との温度差はそれほど大きなものではない。加えて輻射熱温度を用いた補正は制御動作にもあるように補正する温度幅が１℃より細かい単位で行なわれている。このように体感温度はデリケートなものであり、またそのような人による利用価値が高いため、希望体感温度の選択は通常より細かな温度幅としている。
また、冷房運転では設定温度１℃上げると電気代が約１０％安く済む。０．５℃刻みにすることで、過度の設定温度の引き下げを無くすことができ、５％の省エネ効果が図れる。
【００４２】
上記実施の形態では体感温度を室内機１０の温度表示部１２に表示したが、同様の表示をリモコン１６の表示窓１６ｃに表示させても良い。この場合、温度センサ、輻射センサと、体感温度を演算する制御部をリモコン１６に持たせても良いが、室内機１０と双方向通信とし、室内制御部２０から情報を得るようにしても良い。また、体感温度の表示は温度表示部１６ｄに表示させても良いし、切換ボタンを設けて設定温度、体感温度、希望体感温度、室内空気温度を切換表示するようにしても良い。
【００４３】
実施の形態２．
この発明の実施の形態２．に於ける空気調和機は、吸込口付近に設置した湿度センサ１８にて室内空間の湿度を検知し、体感温度補正をよりきめ細かなものとした。例えば不快指数を用いる場合は下記の式（３）を用いる。
不快指数＝1.8×乾球温度＋32-0.55×（1-相対湿度/100）×（1.8×乾球温度-5）
式（３）
冷房、除湿運転時にこの式（３）から得られた不快指数が高い場合、実施の形態１における表示部１２の体感温度の表示をより高い温度に修正する。
このとき、室内空気湿度に基く圧縮機周波数や室内外ファン回転速度、第１、２絞り機構の開度の制御は、図５に示す温度補正とは別の制御であり、室内空気温度、輻射熱温度に基く図５の制御内容は実施の形態１と変わらない。その他の構成は実施の形態１．と同様である。
【００４４】
実施の形態３．
この発明の実施の形態３．に於ける空気調和機は、冷房、除湿運転時に室内熱交換器のある一部分に冷媒を流し熱交換面積を可変し、空調制御のあらゆる温度帯で湿度を４０％〜６０％の所定範囲に、好ましくはある一定値に維持するよう制御する。湿度４０％〜６０％は快適性の面で最適の領域であり、この低湿度環境では汗かきの暑がりの人ほど蒸発による放熱量が増加するため涼しく感じやすい。暑がりの人は汗かきと考えることができ、湿度を下げることで、汗の少ない人より蒸発による放熱量を増加することができ、より涼しい環境となる。即ち、寒がりの人と暑がりの人との個人差が縮まる方向であり、お互いに満足できる環境を創りやすいという効果がある。
【００４５】
室内熱交換器の熱交換面積の可変は実施の形態１．に示されるように、第２絞り機構６を閉じ、第１室内熱交換器５を凝縮器、第２室内熱交換器７を蒸発器として利用する。このように制御することで、潜熱分の仕事の割合を顕熱分の仕事に比べて大きくすることができ、室内温度の低下を防止しながら、湿度を下げることが可能になる。勿論湿度を維持する方法としては他の制御方法や構成を採用してもよい。
【００４６】
また、第２絞り機構６を開き、第１室内熱交換器５及び第２室内熱交換器７を蒸発器として利用すると、顕熱分の仕事の割合を潜熱分の仕事に比べて大きくすることができる。このように室内熱交換器の蒸発器として作用する部分の面積を変えることで、幅広い潜熱・顕熱制御が可能になる。そして、空調制御において、常に湿度４０％〜６０％の範囲に維持することが可能になる。このように湿度幅を所定範囲に維持することで、体感温度に与える湿度の影響を小さくでき、温度センサ１７から得られる室内空気温度及び輻射センサ１５から得られる輻射熱温度によって求められる図５に示すような体感温度を、実際に人間が感じる体感温度に近づけることができる。
【００４７】
空調制御中において、室内空気湿度を５０％等の常に一定の値に維持するようにすると、この差はさらに縮めることができる。また、この方法にヒーターを加えるとさらに素早く湿度を一定値に近づけられる。
その他の構成は実施の形態１．と同様である。
【００４８】
【発明の効果】
以上のとおり、この発明によれば、圧縮機、凝縮器、蒸発器を備えた空気調和機において、室内空気温度を検出する室温検出手段と、輻射熱温度を検出する輻射熱温度検出手段と、所望の設定温度を入力する温度設定手段と、希望体感温度を入力する入力手段と、前記室温検出手段及び輻射熱温度検出手段から輻射熱温度を加味した体感温度を得る制御部と、空気調和機本体又はリモコンに設けられた表示部に室内空気温度から体感温度または設定温度から希望体感温度に切り換え表示させる切換手段とを備えたので、体感温度として希望の温度を容易に設定できるようになり快適性が向上し、また空調制御に応じて表示部の表示内容がめまぐるしく変化することを防止できる効果が得られる。
【００５０】
また、前記制御部は前記室内空気温度及び輻射熱温度に基づいて空調制御を行なうので、体感温度として快適な設定温度に導かれ、現在の体感温度との差を表示部から確認することができる効果が得られる。
【００５２】
また、前記希望体感温度を１℃より細かくしたので、体感温度の性質、希望体感温度を設定する需要に沿った温度制御が可能になる効果が得られる。
【００５３】
また、前記表示部の表示温度間隔を前記体感温度の間隔よりも大きくしたので、体感温度の細かい変化に応じて表示部の表示内容がめまぐるしく変化することを防止できる効果が得られる。
【００５４】
また、室内空気湿度を検出する湿度検出手段を備え、前記制御部は前記室温検出手段、輻射熱温度検出手段及び湿度検出手段から体感温度を得るので、温度だけでなく湿度も含めたより人間の感覚に近い体感温度を表示できる効果が得られる。
【００５６】
また、前記体感温度と室内空気温度との何れが表示されているかを表示する切換表示手段を備えたので、同じ温度という表示内容でありながら、使用者が容易に判別できる効果が得られる。
【００５７】
また、圧縮機、凝縮器、蒸発器を備えた空気調和機において、室内空気温度を検出する室温検出手段と、所望の設定温度を入力する温度設定手段と、被空調空間に居る人間が感じる体感温度を検出する体感温度検出手段と、を備え、室内空気温度または設定温度を前記体感温度検出手段により検出した体感温度に応じて補正した設定温度または室内空気温度に近づけるように制御するので、体感温度として快適な設定温度に導かれて快適性が向上する効果が得られる。
また、前記空気調和機は圧縮機、四方弁、室外熱交換器、第1絞り機構、第1室内熱交換器、第２絞り機構、第２室内熱交換器を順次接続した冷凍サイクルと、前記室外熱交換器に空気流を発生させる室外ファンと、前記室内熱交換器に空気流を発生させる室内ファンとを備え、前記圧縮機の周波数または前記室内外ファンの回転速度または前記絞り機構の開度を制御するので、除湿運転、冷房運転、暖房運転のいずれの場合も快適性が向上する効果が得られる。
【００５８】
また、前記体感温度検出手段は輻射センサを用い床面または壁面の輻射熱温度を検出するので、空調領域の空気調和機から離れたところに居る人の体感温度が得られる効果がある。
また、前記輻射センサにより検出された輻射熱温度Ｔｒによる設定温度の補正量Ｔｏｔを室内空気温度ＴＨ１及び輻射センサ定数Ｃ１を用いて、Ｔｏｔ＝（Ｃ１＊（ＴＨ１−Ｔｒ））／２としたので、デジタル幅で設定温度を補正でき、体感温度を素早く設定温度に近づけることができる効果が得られる。
【図面の簡単な説明】
【図１】  この発明の実施の形態における空気調和機の冷凍サイクルを示す冷媒回路図である。
【図２】  この発明の実施の形態における空気調和機の室内機を示す斜視図である。
【図３】  この発明の実施の形態における空気調和機のリモコンを示す正面図である。
【図４】  リモコンで温度設定入力操作をした場合の温度表示部の表示内容の変化を示した概念図である。
【図５】  この発明の実施の形態における空気調和機の室内空気温度と輻射熱温度とに基いた温度制御の様子を示すタイミングチャートである。
【図６】  この発明の実施の形態における空気調和機と従来の空気調和機との体感温度の変化を比較した対比図である。
【符号の説明】
１  圧縮機、  ２  四方弁、  ３  室外熱交換器、  ４  第１絞り機構、  ５第１室内熱交換器、  ６  第２絞り機構、  ７  第２室内熱交換器、  ８  室外ファン、  ９  室内ファン、  １０  室内機、  １０ｃ  風向ベーン、  １１室外機、  １２  温度表示部、  １３  体感モニタ、  １４  リモコン信号受光部、  １５  輻射センサ、  １６  リモコン、  １７  室温センサ、  １８  湿度センサ、  ２０  室内制御部、  ２１  室外制御部。
【図１】
0003791258.tif 000002
【図２】
0003791258.tif 000003
【図３】
0003791258.tif 000004
【図４】
0003791258.tif 000005
【図５】
0003791258.tif 000006
【図６】
0003791258.tif 000007